(57)【特許請求の範囲】
【請求項１】
汚れおよび悪臭の原因物質たる有機物を分解、消化する微生物を含有し、同微生物の活動を抑制するキレート剤と安定剤のうちの少なくとも一方が添加されてなる洗浄原液と、同原液を希釈するための希釈液とよりなり、使用時に洗浄原液を希釈液によって希釈して使用されることを特徴とする微生物による洗浄、消臭剤。
【請求項２】
請求項１に記載の洗浄、消臭剤において、微生物は澱粉分解酵素、蛋白分解酵素、動植物油脂分解酵素およびセルロース分解酵素の生産能を有する微生物のうちの１種類、あるいは複数種類の微生物が適宜の割合で存在することを特徴とする微生物による洗浄、消臭剤。
【請求項３】
請求項１、２に記載の洗浄、消臭剤において、微生物が有胞子菌である微生物による洗浄、消臭剤。
【請求項４】
請求項１に記載の洗浄、消臭剤において、希釈液は精製水よりなることを特徴とする微生物による洗浄、消臭剤。
【請求項５】
請求項４に記載の洗浄、消臭剤において、希釈液に界面活性剤を添加してなる微生物による洗浄、消臭剤。
【請求項６】
請求項４、５に記載の洗浄、消臭剤において、希釈液に、汚れおよび悪臭の原因物質たる有機物を分解、消化する微生物と防腐剤とを添加してなる微生物による洗浄、消臭剤。
【発明の詳細な説明】
【０００１】
【発明の属する技術分野】
本発明は汚れおよび悪臭の原因物質たる有機物を、微生物によって分解、消化することにより汚れおよび悪臭を除去する洗浄、消臭剤に関する。
【０００２】
【従来の技術とその問題点】
台所、風呂、洗面所等の排水管内には有機物を主成分とする汚れが付着し、この汚れにより排水管が目詰まりを起こしたり、悪臭を放ったりする。
排水管内の汚れを除去するには、従来から酸やアルカリを主成分とする化学洗浄剤が使用されており、この化学洗浄剤により汚れを溶解して除去している。
また、化学洗浄剤に香料を添加して、悪臭を感じにくいようにしている。
【０００３】
従来の化学洗浄剤では洗浄力が強力であればあるほど排水管が化学洗浄剤の酸やアルカリによって傷んでしまうという問題があり、また異種の化学洗浄剤を混合すると人体に有毒なガスを生じることがあるという危険性もある。
さらに、排水が浄化槽に接続されている場合には、浄化槽内に棲息して有機物を分解する微生物が化学洗浄剤の酸やアルカリにより死滅することがあり、浄化槽内の浄化機能を損なうという問題もある。
また、化学洗浄剤では汚れそのものを分解することができないので、汚れから放出される悪臭を除去することはできず、香料を添加してあっても悪臭自体を除去するいわゆる消臭を行うことはできない。
【０００４】
上述した洗浄剤のほかにも界面活性剤を主成分として排水管を傷めずに洗浄を行う洗浄剤や、培養した微生物から有機物を分解する酵素を抽出し、この酵素を添加した洗浄剤などもあるが、いずれの洗浄剤も洗浄、消臭効果が低かった。
また、従来の洗浄剤は汚れに接触しても、その後水を流すと洗浄剤そのものが流れてしまい、汚れや汚れによる悪臭の除去効果を持続せしめることはできなかった。
【０００５】
さらに、排水管内の汚れを除去するための従来の洗浄剤では、排水管以外の汚れや悪臭を除去することができず、具体的には例えば流し台、風呂桶、便器、カーペット、じゅうたん等に付着した汚れやその汚れによる悪臭、あるいは生ごみ、トイレット室内等の悪臭を除去することはできなかった。
【０００６】
また、汚れおよび悪臭の原因物質たる有機物を分解、消化する各種の微生物が従来から知られているが、洗浄、消臭剤中において微生物が活動し、一定の存在率以上に繁殖すると、活動のためのエネルギーを十分に摂取することができなくなって死滅することがあり、しかも活動状態の微生物は熱や薬品に対する耐性が低く、長期の保存が困難であるという問題があり、また微生物は水道水中に含まれる塩素系の殺菌用化学物質により活動が低下したり劣化するという問題がある。
【０００７】
【本発明の目的】
本発明の目的とするところは台所、風呂、洗面所等の排水管内の汚れやこの汚れによる目詰まりおよび悪臭、あるいは流し台、風呂桶、便器、カーぺット、じゅうたん等の汚れや悪臭、また生ごみやトイレット室内の悪臭を容易かつ確実に除去することができ、しかも有毒ガスが発生するようなことがなくて安全に使用できる洗浄、消臭剤を提供することにある。
【０００８】
【手段】
上記目的を達成するために、本発明の請求項１に係る洗浄、消臭剤は汚れおよび悪臭の原因物質たる有機物を分解、消化する微生物を含有し、同微生物の活動を抑制するキレート剤と安定剤のうちの少なくとも一方が添加されてなる洗浄原液と、同原液を希釈するための希釈液とよりなり、使用時に洗浄原液を希釈液によって希釈して使用されることを特徴とする微生物による洗浄、消臭剤。
【０００９】
また、本発明の請求項２に係る洗浄、消臭剤は、請求項１に記載の洗浄、消臭剤において、微生物は澱粉分解酵素、蛋白分解酵素、動植物油脂分解酵素およびセルロース分解酵素の生産能を有する微生物のうちの１種類、あるいは複数種類の微生物が適宜の割合で存在することを特徴としている。
【００１０】
さらに、本発明の請求項３に係る洗浄、消臭剤は、請求項１、２に記載の洗浄、消臭剤において、微生物が有胞子菌であるものとしてある。
また、本発明の請求項４に係る洗浄、消臭剤は、請求項１に記載の洗浄、消臭剤において、希釈液は精製水よりなることを特徴としている。
【００１１】
さらに、本発明の請求項５に係る洗浄、消臭剤は、請求項４に記載の洗浄、消臭剤において、希釈液に界面活性剤を添加したものとしてある。
また、本発明の請求項６に係る洗浄、消臭剤は、請求項４、５に記載の洗浄、消臭剤において、希釈液に、汚れおよび悪臭の原因物質たる有機物を分解、消化する微生物と防腐剤とを添加したものとしてある。
【００１２】
【実施態様】
以下、本発明に係る洗浄、消臭剤の実施態様を詳細に説明する。
本発明の洗浄、消臭剤は微生物を含有する洗浄原液１と、同原液を希釈するための精製水よりなる希釈液２とで構成され、前記洗浄原液１と希釈液２はそれぞれ個別の容器、例えば図１に示すような合成樹脂製の容器３、４に入れたものとする。
【００１３】
各容器３、４は透明容器とし、内容物たる洗浄原液１や希釈液２の量が外側から見てわかるように側面に目盛り５、６をそれぞれ付してある。ただし、容器は洗浄原液や希釈液が日光等によって変性や劣化しにくいよう光を通しにくい色、材質のものが望ましく、前記目盛りで内容量を読み取れることができる程度にする。
【００１４】
前記洗浄原液１は、汚れや悪臭の原因物質たる有機物を分解、消化する微生物を、水にキレート剤、安定剤を添加した混合液に入れたものとしてある。
前記微生物は例えば澱粉分解酵素たるアミラーゼと蛋白分解酵素たるプロテアーゼの生産能を有するバチルス・サブティリス(Bacillus subtilis) と、動植物油脂分解酵素たるリパーゼの生産能を有するバチルス・リッケニフォーミス(Bacillus licheniformis)と、セルロース分解酵素たるプロトペクチアーゼやセルラーゼの生産能を有するバチルス・ポリミア(Bacillus polymxa)やバチルス・サブティリス・セルラーゼ(Bacillus subtilis cellurase) を適宜の割合で使用する。
上述した微生物は有胞子菌であり、胞子状態では特に熱や薬品に対する耐性に優れていて特に保存に好適である。
【００１５】
前記洗浄原液１中のキレート剤および安定剤は洗浄剤中における微生物の増殖を抑えて洗浄原液の組成を安定させるためのもので、例えばキレート剤にエチレンジアミン４酢酸４ナトリウムを、安定剤にジプロピレングリコールおよび水酸化ナトリウムを使用する。
【００１６】
また、前記混合液中にはキレート剤、安定剤のほかに界面活性剤、防腐剤等を添加してあり、界面活性剤は、汚れや悪臭の原因物質たる有機物の表面に微生物が接触し易いようにするためのものとしてあり、微生物の活動及び繁殖に影響の少ない非イオン系のものが望ましく、例えばエトキシレート・アルキルフェノールを使用し、防腐剤は雑菌やかび等の他の微生物の繁殖を防止するためのもので、例えば1,2-ベンチゾチアゾリン-3-1を使用する。
さらに、香料や着色のための乳白剤及び顔料、あるいは若干の研磨剤を適宜添加することもできる。
【００１７】
洗浄原液１の組成は、例えばキレート剤たるエチレンジアミン４酢酸４ナトリウム、安定剤たるジプロピレングリコール、水酸化ナトリウムを各１％以下、界面活性剤たるエトキシレート・アルキルフェノールを３〜５％、防腐剤たる1,2-ベンチゾチアゾリン-3-1、乳白剤を０．０５％とし、その残余を水としてあり、微生物の存在率は使用する微生物の種類によって異なるが、前述した微生物であれば混合液１ミリリットル中に総数が例えば１×１０7 個程度となるようにする。
洗浄原液１中での微生物はキレート剤および安定剤によって活動が抑制され、前述した有胞子菌であれば胞子状態になり、劣化や変性が防止される。
【００１８】
次に、上述した実施態様の洗浄、消臭剤の使用方法を台所の排水管の汚れの除去に使用する場合の具体例に基づいて説明する。
例えば１０ミリリットルの洗浄原液１を排水管７の内壁に沿ってに流し込み、次いで例えば５０ミリリットルの希釈液２を同排水管７へ流し込んで所要の時間放置する。この放置時間は３０〜６０分程度でも十分ではあるが、汚れがひどくて目詰まりを起こしているような場合には、夜に洗浄原液および希釈液を投入しておいて一晩放置するとよい。
【００１９】
先に流し込まれた洗浄原液１は排水管７のトラップ部８に溜まっていた水と混合されてある程度希釈され、さらに流し込まれた希釈液２によって所要の濃度に希釈される。
洗浄原液が希釈されると、同洗浄原液中において微生物の活動を抑制していたキレート剤および安定剤の濃度が低下して微生物が活動を開始する。
【００２０】
微生物は排水管の内壁およびトラップ部８内の汚れに付着し、酵素を分泌して有機物を分解、消化するとともに有機物から栄養を摂取してエネルギー源とし、活発に増殖する。
より詳しくはバチルス・サブティリス(Bacillus subtilis) が澱粉分解酵素たるアミラーゼと蛋白分解酵素たるプロテアーゼを分泌して澱粉および蛋白を分解し、バチルス・リッケニフォーミス(Bacillus licheniformis)が動植物油脂分解酵素たるリパーゼを分泌して動植物油脂を分解し、さらにバチルス・ポリミア(Bacillus polymxa)およびバチルス・サブティリス・セルラーゼ(Bacillus subtilis cellurase) がセルロース分解酵素たるプロトペクチアーゼやセルラーゼを分泌してセルロースを分解する。
また、有機物が分解、消化されることにより有機物に起因する悪臭も除去される。
【００２１】
本発明に使用する上記微生物は有機物に電気的に結合して付着する。
具体的には微生物が負（−）側に帯電しており、また有機物が正（＋）側に帯電していて微生物と有機物が電気的に結合するので、微生物は一旦有機物に付着すると流水中であっても有機物から離脱することは殆どなく、有機物に付着したまま排水管７内に残り、有機物がなくなるまで同有機物を確実に分解、消化する。
【００２２】
なお、微生物は水道水に含まれる塩素系の殺菌用化学物質によって活動や繁殖が抑制されることがあるが、本実施態様の希釈液２には精製水を使用しているので、微生物を十分に活動、繁殖させることができる。
【００２３】
上述した実施態様では微生物としてバチルス・サブティリス(Bacillus subtilis) 、バチルス・リッケニフォーミス(Bacillus licheniformis)、バチルス・ポリミア(Bacillus polymxa)及びバチルス・サブティリス・セルラーゼ(Bacillus subtilis cellurase) を使用しているが、これらの微生物のうちの数種のみを使用したり、同じ酵素を分泌する他の微生物に代えて使用することもできるし、例えば他の酵素を分泌する他種の微生物を加えて使用することもできる。
【００２４】
上述した実施態様においては、希釈液２に精製水を使用しているが、この希釈液に界面活性剤を添加する場合もあり、この場合には洗浄原液中に添加する界面活性剤と同様に例えば非イオン系のエトキシレート・アルキルフェノールを３〜５％添加する。
かくすると、希釈液を流し込んだ後の泡立ちがよくなり、その分洗浄、消臭液が排水管の内壁に付着しやすくなって洗浄、消臭効果が向上する。
【００２５】
また、上述した実施態様においては洗浄原液中の微生物はキレート剤および安定剤によって活動が抑制されており、希釈液によって希釈されてから微生物が活発に活動を始めるまでに若干の時間がかかるが、希釈液２中に活動状態の微生物を入れ、洗浄原液中の微生物が活動を開始するまでに希釈液中の微生物により有機物の分解、消化を行うようにする場合もある。
この場合には、微生物とともに、防腐剤も混入して雑菌やかび等の他の微生物が繁殖しないようにする。
【００２６】
使用する微生物は洗浄原液中の微生物と同じものを使用してもよいし、洗浄原液中の複数の微生物の内、数種類の微生物だけを使用してもよく、微生物の存在率を希釈液１ミリリットル中に総数が例えば１×１０6 個程度となるようにし、また、防腐剤は洗浄原液と同様に、例えば1,2-ベンチゾチアゾリン-3-1を０．０５％程度混入する。
【００２７】
【発明の作用、効果】
汚れおよび悪臭の原因物質たる有機物を分解、消化する微生物は、活動している状態では繁殖洗浄原液中にキレート剤や安定剤によって活動を抑制され、いわば休眠状態とされていて、使用時に希釈液で希釈することで微生物を活動せしめるようにしてあるので、常温であっても長期間の保存が可能である。
【００２８】
また、微生物は水道水を混ぜると水道水中の塩素系の物質により劣化したり、活動が低下するおそれがあるが、本発明においては希釈液に精製水を使用するので、微生物の劣化や活動の低下のおそれが殆どない。
さらに、洗浄原液と希釈液を個別にしてあるので、使用する場所や汚れ、悪臭の程度に応じて洗浄原液と希釈液の使用割合を適宜調節することができる。
【００２９】
また、微生物は汚れの原因物質たる有機物に電気的に付着し、有機物をエネルギー源として活発に活動、繁殖し、しかも有機物を分解、消化して除去し、有機物がなくなるまで確実かつ長期間に亘って洗浄が行われる。
【００３０】
さらに、酸やアルカリ等の化学薬品を含有せしめる必要がないので、排水管等の洗浄対象物に使用されているゴム製シール材や合成樹脂材を傷めるようなおそれがない。
また、排水管等の洗浄、消臭に使用した場合には洗浄排水が浄化槽においても有機物の分解、消化を行うので、酸やアルカリを使用する洗浄剤のように浄化槽の機能を損うようなおそれがない。
【図面の簡単な説明】
【図１】本発明に係る洗浄、消臭剤を容器に入れた状態を示す一部破断図。
【図２】排水管の一例を示す断面図。
【符号の説明】
１  洗浄原液
２  希釈液
３  洗浄原液の容器
４  希釈液の容器
５、６  容器の目盛り
７  排水管
８  トラップ部
【図１】
0003735194.tif 000002
【図２】
0003735194.tif 000003